(57)【要約】  本考案は再充填用パッケージにおいて、ＬＬＤＰＥ及びポリスチレンを含んでなる内層単位フィルムと、配向度比ＭＤ/ＴＤが１である、延伸ナイロンからなる外層単位フィルムとの２層構造を有するフィルムからなることを特徴とする切りやすい再充填用パッケージに関するものである。本考案の２層構造フィルムからなる切りやすい再充填用パッケージによると、切りやすくて、特に一定方向に切りやすくて、厚さが薄く、製作設備や過程が単純であるので製造原価が節減でき、シール解けがなく、耐衝撃性が良好であるとの効果を達成する。【選択図】      図２
0003111169.tif 000002
【実用新案登録請求の範囲】
【請求項１】
再充填用パッケージにおいて、
ＬＬＤＰＥ及びポリスチレンを含んでなる内層単位フィルムと、
配向度比ＭＤ/ＴＤが１である、延伸ナイロンからなる外層単位フィルムと
の２層構造を有するフィルムからなることを特徴とする切りやすい再充填用パッケージ。
【請求項２】
前記内層単位フィルムは、ＬＬＤＰＥ４０〜８０重量％及びポリスチレン２０〜６０重量％からなることを特徴とする請求項１記載の切りやすい再充填用パッケージ。
【請求項３】
前記内層単位フィルムは、ＬＬＤＰＥ及びポリスチレンの総重量１００重量部に対して、１０〜２０重量部のエチレン−アクリル酸共重合体(EAA)をさらに含むことを特徴とする請求項２記載の切りやすい再充填用パッケージ。
【請求項４】
前記再充填用パッケージは、そのパッケージの上段一側部に内容物流れ案内部が形成されることを特徴とする請求項１乃至３の何れかに記載の切りやすい再充填用パッケージ。
【請求項５】
前記再充填用パッケージは、そのパッケージの一側部に通孔が形成され、前記通孔部に内容物の香気透過が可能な香気透過性不織布が付着されることを特徴とする請求項４記載の切りやすい再充填用パッケージ。
【考案の詳細な説明】
【技術分野】
【０００１】
本考案は、２層構造フィルムからなる切りやすい再充填用パッケージ（easy-cutting refill package）に関し、詳細には、液体洗剤類、シャンプーやリンス、浴剤等または食品類等の内容物が充填され、その内容物の再充填（refill）が可能な２層構造フィルムからなる切りやすい再充填用パッケージに関するものである。
【背景技術】
【０００２】
家庭用洗剤等の液体洗剤類、シャンプー、リンス、浴剤または食品類等は、バッグ(bag)（またはパウチ（pouch））のようなパッケージ(package)内に充填されて出荷され、資源節約のための再利用の必要性により、通常前記内容物を前記パッケージに再充填して用いる。
【０００３】
このような再充填用パッケージの製作のために、例えば、フィルム（単位フィルムを合わせたフィルム）２枚を前側と後側に対向するよう重ねた後、前側と後側のフィルムをその周辺末端部でヒートシール(heat-seal)するようにし、一方、スタンディング(standing)性を与えるためには、別途のフィルムを底部に当て、前側と後側のフィルムのそれぞれに融着するようにする。
【０００４】
従来の場合、落下等による衝撃時破損の恐れ、スタンディング性等を考慮し、一般に最小１００μm以上のフィルムを使用していた。
【０００５】
これにより、消費者が最初に使用するとき、または再充填のために使用するとき、手でパッケージを切る場合には、切りにくくて、特に前側のフィルムと後側のフィルムとがずれて切れるしかないので、必ずはさみ等の道具を使用しなければならなかったし、前記道具がない場合には一定方向（直線方向）に切ることが困難であるので、内容物が溢れるか、または再充填が適切にできないという問題点があった。
【０００６】
従って、パッケージは開封または再充填に適合するように切りやすいこと、特に一定方向に切りやすいことが要求される。
【０００７】
従来は、切りやすいパッケージを製作するためにパッケージの一側にレーザカッティング(cutting)で微細みぞ(small and short groove)を形成するとか、または一定方向に切りやすいパッケージを製作するために、所定単位フィルムを３層に積層したフィルムを使用した（特許文献１参照）。
【特許文献１】大韓民国特許第１５０４１３号公報  前記特許においては、内層にEt-Bu（三井化学のTAFMER A#4085）を添加したＬＬＤＰＥ単位フィルムを配置し、中間層に延伸ポリオレピンフィルムとして配向度比ＭＤ/ＴＤを２以上にした単位フィルムを配置し、外層に延伸ナイロンフィルムとして配向度比ＭＤ/ＴＤを１.２〜２.５にした一単位フィルムを配置してパウチの切りやさや耐衝撃性等を満足させようとした。
【０００８】
しかし、前記のようなフィルムは、内層、中間層、外層の３層のフィルムとなる構成により、厚さが大きくなり、３層をそれぞれ構成しなければならないので、製造設備や工程が複雑になるので製造原価が高くなるという問題点があったし、その上、特に内層の場合に劣化を惹起するEt-Buを添加するという問題点があった。
【０００９】
従って、Et-Buを添加せずにも、切りやすくて、特に一定方向に切りやすくて、厚さが薄く、製作工程が単純で、原価が節減されると同時に、シールが堅く、耐衝撃性が良好な再充填用パッケージが要求される。
【考案の開示】
【００１０】
本考案は、前記のような問題点を解決するためのものであり、本考案の目的は、切りやすくて、特に一定方向に切りやすくて、厚さが比較的薄く、製作設備や過程が単純であるので製造原価が節減でき、シールが解けない、耐衝撃性の良好な、２層構造フィルムからなる切りやすい再充填用パッケージを提供することにある。
【００１１】
前記した本考案の目的は、再充填用パッケージにおいて、ＬＬＤＰＥ及びポリスチレンを含んでなる内層単位フィルムと、配向度比ＭＤ/ＴＤが１である、延伸ナイロンからなる外層単位フィルムとの２層構造を有するフィルムからなることを特徴とする切りやすい再充填用パッケージにより達成される。
【００１２】
前記内層単位フィルムは、ＬＬＤＰＥ４０〜８０重量％及びポリスチレン２０〜６０重量％からなることが好ましい。前記内層単位フィルムは、ＬＬＤＰＥ及びポリスチレンの総重量１００重量部に対して、１０〜２０重量部のエチレン−アクリル酸共重合体(EAA)をさらに含んで構成されることが好ましい。
【００１３】
そして、前記再充填用パッケージは、そのパッケージの上段一側部に内容物流れ案内部が形成されることが好ましく、前記再充填用パッケージは、そのパッケージの一側部に通孔が形成され、前記通孔部には、内容物の香気透過が可能な香気透過性不織布が付着されることが好ましい。
【考案を実施するための最良の形態】
【００１４】
以下、本考案による２層構造フィルムからなる切りやすい再充填用パッケージについて詳述する。
【００１５】
図１は、本考案による２層構造フィルムの単位フィルム積層構成を示す概略図であり、図２は、本考案による２層構造フィルムからなる再充填用パッケージを示す概略図である。
【００１６】
図１及び図２に示されるように、本考案による切りやすい再充填用パッケージ（４０）は、２層構造フィルム（３０）からなる。
【００１７】
前記２層構造のうち、内層単位フィルム（２０）は、ＬＬＤＰＥとポリスチレンからなり、直線カット（cut）性に優れる（すなわち、一定方向に切りやすい）。
【００１８】
前記ＬＬＤＰＥと前記ポリスチレンの比率としては、前記ＬＬＤＰＥが４０〜８０重量％からなり、前記ポリスチレンが２０〜６０重量％からなることが好ましい。
【００１９】
また、前記内層単位フィルム（２０）には、エチレン−アクリル酸共重合体(EAA)がさらに添加されることが好ましく、前記ＬＬＤＰＥとポリスチレンの総重量１００重量部に対して、１０〜２０重量部のエチレン−アクリル酸共重合体(EAA)をさらに含むことが好ましい。
【００２０】
前記のようなＬＬＤＰＥ及びポリスチレン、さらにエチレン−アクリル酸共重合体(EAA)の含量範囲において、切りやすさ、耐衝撃性、良好なシール性がさらに好ましい。
【００２１】
また、前記内層単位フィルム（２０）は、前記ＬＬＤＰＥとポリスチレンの総重量１００重量部に対して、１〜１０重量部の接着強化剤や界面活性剤を追加で含むことが好ましい。
【００２２】
前記２層構造のうち、外層単位フィルム（１０）は、延伸ナイロンからなるもので、配向度比ＭＤ/ＴＤが１であることを特徴とし、その直線カット性がなお優秀である。
【００２３】
このように２層構造フィルム（３０）を形成し、前記構造のフィルム（３０）として通常の方法により再充填用パッケージ（４０）の形状を構成すると、前記パッケージ（４０）の部分（４５）の直線カット性がすぐれる。
【００２４】
一方、前記再充填用パッケージ（４０）を形成することにより、上段一側部に、内容物の流出や流入等の流れ（液体の流れだけでなく、固体の移送も含む）を案内するための内容物流れ案内部を形成することができ、または上段部全部が内容物流れ案内部になるよう形成することもできる。
【００２５】
そして、前記の内容物流れ案内部は、別途の部材をパッケージ（４０）に付着して形成することもできるし、パッケージ（４０）自体を案内部形状で製作することもできる。
【００２６】
図３は、本考案による再充填用パッケージの上段一側部に内容物流れ案内部を形成したことを示す概略図である。
【００２７】
図３に示されるように、内容物流れ案内部（４２）が再充填用パッケージ（４０）の上段一側部に形成されているが、これは、別途の内容物流れ案内部材を再充填用パッケージ（４０）に付着したのでなく、再充填用パッケージ（４０）の上段一側部自体が案内部（４２）形状で形成されたものである。
【００２８】
このようにパッケージ自体を裁断して内容物流れ案内部（４２）を形成することになると、前記案内部を構成するフィルムが前記したように一定方向に切りやすいものであるので、切って使うのに便利で内容物流れ案内部としてより適切である。
【００２９】
図４は、本考案による再充填用パッケージの一側部に内容物の香気透過（香気発散）の可能な香気透過部を形成したことを示す概略図である。
【００３０】
図４に示されるように、前記再充填用パッケージのうち一部を前記２層構造のフィルムで構成せずに通孔を形成した後、前記通孔部（例えば、通孔部のうちパッケージの内側）に別途の部材として内容物の香気透過の可能な香気透過性不織布を付着することにする。
【００３１】
前記香気透過性不織布は、液状内容物の外部流出を防止できながらも、その内容物の香気だけを透過（発散）できるものとして、その特性テスト結果は次の表１のようである。
【００３２】
【表１】
0003111169.tif 000003
前記表１に表されるように、１８０μm厚さの香気透過性不織布は、１８０〜２００°Cの温度で通孔部にシール接着された状態で、１５０kgの圧力を４分間持続的に加えた際、パッケージ内部の液状内容物の漏液現象が発生しなかったし、香りも１２０日以上で維持されることが確認できた。
【００３３】
このように、香気透過の可能な香気透過性不織布（４３）を利用すると、内容物による香気が前記不織布を透過し発散するので、例えば、消費者が前記パッケージの通孔の外側面カバー部材を剥離することにより、香気が発散され、そのパッケージの内容物の確認を可能にする効果を有することになる。
【００３４】
前記再充填パッケージは、従来の再充填パッケージと異なり、切りやすくて、特に一定方向に切りやすくて、２層構造であるので厚さが薄く、従って、製作が単純で製造費用が節減されうる。
【００３５】
また、前記再充填用パッケージは、シール状態で外部ストレスを与えてもシール解け等のような品質変化がなくて、落下衝撃に耐えられる程度の十分な物性を有する。
【００３６】
本考案が実施例を通じてさらに詳細に記述されるが、これは本考案の範囲を制限しようとすることではない。
【実施例】
【００３７】
本実施例では、ＬＬＤＰＥ５０重量％にポリスチレン５０重量％からなる内層単位フィルムの外側に、延伸ナイロンからなる配向度比ＭＤ/ＴＤ＝１の外層単位フィルムを置いて合わせて１枚のフィルムを製作し、このようなフィルム２枚を重ねて周辺末端部でヒートシーリングし、再充填用パッケージを製作し、直線カット性、シール状態、耐衝撃性を試みた。
【００３８】
この際、前記延伸ナイロンからなる外層単位フィルムは、その厚さが１５μmの２軸延伸ナイロンフィルムで、弾性率は、ＭＤ方向が２,９００MPaで、ＴＤ方向が２,９００MPaで、破断強度は、ＭＤ方向が２２０MPaで、ＴＤ方向が２２０MPaで、伸張率は、ＭＤ方向が１１０%で、ＴＤ方向が１１０%である（ASTM-D882で測定）。
【００３９】
また、忍熱強度は、ＭＤ方向が６０N/cmで、ＴＤ方向が６０N/cmである(JIS-Z-1702で測定)。
【００４０】
直線カット性を測定した結果、一定方向の良好な直線カット性を示し、内容物圧強経時テストでは１４０kg圧力及び４分の条件でヒートシール部分(heat seal part)の解けがなかった。
【００４１】
また、内容物を入れて1.5mで３回垂直落下実験をした結果、破れがなかったことが確認できた。
【産業上の利用可能性】
【００４２】
以上で説明したように、本考案の２層構造フィルムからなる切りやすい再充填用パッケージによると、切りやすくて、特に一定方向に切りやすくて、厚さが薄く、製作設備や過程が単純であるので製造原価が節減でき、シール解けがなく、耐衝撃性が良好であるという効果を達成する。
【図面の簡単な説明】
【００４３】
【図１】本考案による再充填用パッケージの２層構造フィルムの単位フィルム積層構成を示す概略図である。
【図２】本考案による２層構造フィルムからなる再充填用パッケージを示す概略図である。
【図３】本考案による再充填用パッケージの上段一側部に内容物流れ案内部を形成したことを示す概略図である。
【図４】本考案による再充填用パッケージの一側部に内容物の香気透過（香気発散）の可能な香気透過部を形成したことを示す概略図である。
【符号の説明】
【００４４】
１０  外層単位フィルム
２０  内層単位フィルム
３０  ２層構造フィルム
４０  再充填用パッケージ
４２  内容物流れ案内部
４３  香気透過性不織布
【図１】
0003111169.tif 000004
【図２】
0003111169.tif 000005
【図３】
0003111169.tif 000006
【図４】
0003111169.tif 000007
【手続補正書】
【提出日】平成17年3月2日(2005.3.2)
【手続補正１】
【補正対象書類名】明細書
【補正対象項目名】０００７
【補正方法】変更
【補正の内容】
【０００７】
従来は、切りやすいパッケージを製作するためにパッケージの一側にレーザカッティング(cutting)で微細みぞ(small and short groove)を形成するとか、または一定方向に切
りやすいパッケージを製作するために、所定単位フィルムを３層に積層したフィルムを使用した（特許文献１参照）。
【特許文献１】大韓民国特許第１５０４１３号公報
【手続補正２】
【補正対象書類名】明細書
【補正対象項目名】０００８
【補正方法】変更
【補正の内容】
【０００８】
前記特許においては、内層にEt-Bu（三井化学のTAFMER（登録商標）A#4085）を添加したＬＬＤＰＥ単位フィルムを配置し、中間層に延伸ポリオレピンフィルムとして配向度比ＭＤ/ＴＤを２以上にした単位フィルムを配置
し、外層に延伸ナイロンフィルムとして配向度比ＭＤ/ＴＤを１.２〜２.５にした一単位
フィルムを配置してパウチの切りやさや耐衝撃性等を満足させようとした。
しかし、前記のようなフィルムは、内層、中間層、外層の３層のフィルムとなる構成により、厚さが大きくなり、３層をそれぞれ構成しなければならないので、製造設備や工程が複雑になるので製造原価が高くなるという問題点があったし、その上、特に内層の場合に劣化を惹起するEt-Buを添加するという問題点があった。